(57)【要約】【課題】  単純な構成、構造で重量物の位置合せ移動もなく、かつ冊子を挟持することなく正確な位置で断裁することができて、装置コストを安くし、かつ冊子の断裁不良を無くす。【解決手段】  小口辺縁断裁手段とは別体構造の天地辺縁断裁機100 を備えている。この天地辺縁断裁機100 は、上流側から導入されてその折目の辺と平行な方向に搬送される冊子を、その搬送方向先端辺で当接、停止させて、この先端辺縁を断裁し、更に下流へと搬送する天地辺縁先端側断裁部110 と、この天地辺縁先端側断裁部110 の下流に配設されてこの天地辺縁先端側断裁部110 から搬送されて来た冊子を、その搬送方向先端辺で当接、位置決め停止させてその搬送方向後端辺縁を断裁する天地辺縁後端側断裁部130 と、を有する。【選択図】        図１
2005153075.tif 000002
【特許請求の範囲】
【請求項１】
製本機により中綴じ折りされた冊子の辺縁部分を断裁する冊子辺縁断裁装置であって、前記冊子の小口辺縁を断裁する小口辺縁断裁手段とは別体構造を成して前記冊子の天辺縁及び地辺縁を断裁する天地辺縁断裁機を備えて成り、この天地辺縁断裁機が次の各構成を有することを特徴とする冊子辺縁断裁装置。
（イ）冊子搬送方向の上流側から導入されてその折目の辺と平行な方向に搬送される冊子を、その搬送方向先端辺で当接、停止させ、この冊子の搬送方向先端辺縁を断裁して更に下流側へと搬送する天地辺縁先端側断裁部
（ロ）前記天地辺縁先端側断裁部の下流側に配設され、この天地辺縁先端側断裁部から搬送されて来た冊子を、その搬送方向先端辺で当接、位置決め停止させてこの冊子の搬送方向後端辺縁を断裁する天地辺縁後端側断裁部
【請求項２】
前記天地辺縁断裁機の天地辺縁先端側断裁部が、
前記冊子を、その断裁工程に応じて搬送する搬送路と、
前記冊子を、その搬送方向先端辺で当接、停止させる先端辺ストッパと、
前記冊子を、その折目の辺を接触させてガイドする基準ガイドと、
前記冊子を、その折目の辺が前記基準ガイドに接触するように、その小口辺縁を前記基準ガイドの方向に押す可動ガイド板と、
前記先端辺ストッパにより停止状態にある冊子の折目の辺部分をその表面側から搬送路面側へと押し付ける折目押圧部材と、
この折目押圧部材でその折目の辺部分が押圧されている冊子の天地辺縁のうちの搬送方向先端側を断裁する断裁刃と、
を備えて成り、
前記天地辺縁断裁機の天地辺縁後端側断裁部が、
前記冊子を、その断裁工程に応じて搬送する搬送路と、
前記冊子を、その搬送方向先端辺で当接、停止させてその断裁部位に対し位置決めする位置決めストッパと、
この位置決めストッパにより停止状態にある冊子の折目の辺部分をその表面側から搬送路面側へと押し付ける折目押圧部材と、
この折目押圧部材でその折目の辺部分が押圧されている冊子の天地辺縁のうちの搬送方向後端側を断裁する断裁刃と、
を備えて成る
請求項１記載の冊子辺縁断裁装置。
【請求項３】
前記天地辺縁断裁機の天地辺縁先端側断裁部及び天地辺縁後端側断裁部それぞれは、
その断裁刃が、搬送路面下に配置された固定断裁刃と、搬送路面上方から搬送路面下方へと移動して前記固定断裁刃と共に前記冊子の辺縁を断裁する可動断裁刃と、を含んで成り、
その折目押圧部材の押圧駆動源と、前記可動断裁刃の断裁駆動源とを共用する構成である
請求項１又は請求項２記載の冊子辺縁断裁装置。
【請求項４】
請求項１乃至請求項３のいずれか１項に記載の冊子辺縁断裁装置における天地辺縁断裁機の冊子搬送方向上流側に、
製本機から折目の辺を搬送方向先端辺として搬送されて来た冊子を、その折目の辺で当接、位置決め停止させてその小口辺縁を断裁する小口断裁機と、
この小口断裁機から折目の辺を搬送方向先端辺として搬送されて来た冊子を、その折目の辺と平行な方向に搬送方向を変換して前記天地辺縁断裁機へと搬送する搬送方向変換機と、を配置して成る冊子辺縁断裁装置。
【請求項５】
前記小口断裁機が、
前記冊子を、その小口断裁工程に応じて搬送する搬送路と、
前記冊子を、その折目の辺で当接、停止させてその断裁部位に対し位置決めする位置決めストッパと、
この位置決めストッパにより停止状態にある冊子を、その小口辺縁に沿ってその表面側から搬送路面側へと押し付ける小口辺縁部押圧部材と、
この小口辺縁部押圧部材で押圧されている冊子の小口辺縁を断裁する断裁刃と、
を備えて成る
請求項４記載の冊子辺縁断裁装置。
【請求項６】
前記小口断裁機の断裁刃が、搬送路面下に配置された固定断裁刃と、搬送路面上方から搬送路面下方へと移動して前記固定断裁刃と共に前記冊子の小口辺縁を断裁する可動断裁刃と、を含んで成り、
前記小口断裁機の小口辺縁部押圧部材の押圧駆動源と、前記可動断裁刃の断裁駆動源とを共用する構造である
請求項５記載の冊子辺縁断裁装置。
【発明の詳細な説明】
【技術分野】
【０００１】
本発明は冊子辺縁断裁装置に関し、特に製本機で中綴じ折りされた冊子の辺縁部分を断裁する冊子辺縁断裁装置に属する。
【背景技術】
【０００２】
製本機で製本される冊子の中には、用紙の束を揃えて中央部分で綴じ、この綴じ位置で折り曲げて冊子の状態とする中綴じ折り冊子が広く普及している。この中綴じ折りされた冊子は、用紙の束をその中央部分で折り曲げて冊子とするため、折目側と相対向する小口部分に用紙のずれが生じ、この小口辺縁を断裁する必要がある。また、用紙束の揃え工程や、綴じ、折りの工程等で、小口辺縁だけでなく天地辺縁部分にも揃いの悪い状態が生じ、見栄えが悪くなるので、小口辺縁の断裁に加えて、天地辺縁も断裁する必要がある。製本機で中綴じ折りされた冊子に対しては小口辺縁の断裁がほぼ全面的に必要となるため、製本機と小口辺縁断裁機とを組合せて使用することが多い。また、製本機とは別体の、中綴じ折りされた冊子の小口及び天地辺縁を断裁する三方断裁装置も多く開発され使用されている。
【０００３】
このような、製本機で中綴じ折りされた冊子の小口及び天地辺縁を断裁する、背景技術における冊子辺縁断裁装置の一例を図５（ａ），（ｂ）に示す。
この背景技術における冊子辺縁断裁装置は、製本機で製本された冊子（断裁前）９００ＣＢの小口辺縁及び天地辺縁の三方を断裁する三方断裁機６００であって、まず、フレーム６１９に対し、天用断裁定木６１６が固定され、天辺縁断裁刃６１１及び押え板６１５ａが移動可能なように保持されて天辺縁断裁ユニットを形成し、同様に、上記フレーム６１９と対向して配置されたフレーム６２０に対し、地用断裁定木６１７が固定され、地辺縁断裁刃６１２及び押え板６１５ｂが移動可能なように保持されて地辺縁断裁ユニットを形成し、更に、これらフレーム６１９，６２０の延長面と交差するように配されたフレーム６２１に対し小口辺縁断裁刃６１３及び押え板６１５ｃが移動可能なように保持されて小口辺縁断裁ユニットを形成して、天辺縁断裁ユニットと地辺縁断裁ユニットとの間隔を、フレーム駆動モータ６２８及びフレーム移動機構６２９によりフレーム６２０を移動させて冊子の天地断裁寸法に合わせ、押え板駆動モータ６２６及び押え板移動押圧機構６２７により、押え板６１５ａ，６１５ｂを移動させてこれらにより冊子の天地辺縁部分を押え、断裁刃駆動モータ６２２及び断裁刃移動機構６２３により、天辺縁断裁刃６１１及び地辺縁断裁刃６１２を移動させて、冊子の天地辺縁を断裁する構造となっている。
【０００４】
また、天辺縁断裁ユニットと地辺縁断裁ユニットとの間には、その外側から小口辺縁断裁ユニットに向かって、互いに一定の間隔を隔てて延びる断裁用底板６１４ａ，６１４ｂと、チャック用モータ６１８ｃにより固定把持部６１８ａ及び可動把持部６１８ｂとの間に冊子９００ＣＢを挟持して、図示省略されている駆動モータ及び移動機構により、断裁用底板６１４ａ，６１４ｂ間を小口辺縁断裁ユニット方向へと移動するチャック機構６１８と、が配設されていて、このチャック機構６１８により冊子９００ＣＢを、まず、天辺縁断裁ユニット・地辺縁断裁ユニット間に移動させて前述のように冊子の天地辺縁を断裁し、更に小口辺縁断裁ユニットまで移動させて、冊子の小口辺縁部分をまず、押え板６１５ｃで押えて、小口辺縁断裁刃６１３により、この小口辺縁を断裁する構造となっている。
【０００５】
冊子９００ＣＢの天地辺縁部分を押え板６１５ａ，６１５ｂで押えたときに、図６（ａ）に示すように、チャック機構６１８とこれら押え板６１５ａ，６１５ｂとの間で冊子が波打つ場合があり、この場合には、図６（ｂ）に示すように、押え板６１５ａ，６１５ｂの間隔に合せた押え補助板６１５ｄによりその波打ち部分を押え込むようになっている。この押え補助板６１５ｄの交換は、冊子が天地用のフレーム６１９，６２０の外側で、チャック機構６１８により冊子と共にこの押え補助板６１５ｄを挟み込むようにして行う（例えば、特許文献１参照）。
【特許文献１】特開２００１−２５２８９０号公報（図１，図２，図３）
【発明の開示】
【発明が解決しようとする課題】
【０００６】
上述した背景技術の冊子辺縁断裁装置における三方断裁機６００は、冊子９００ＣＡの天地辺縁を断裁する天辺縁断裁ユニット及び地辺縁断裁ユニットが、相対向するフレーム６１９，６２０に固定または保持された断裁刃（６１１，６１２）、押え板６１５ａ，６１５ｂ及び断裁定木（６１６，６１７）を備えて成り、これらの間隔をフレーム駆動モータ６２８及びフレーム移動機構６２９によりフレーム６２０を移動させて冊子の断裁寸法に合せ、押え板駆動モータ６２６及び押え板移動機構６２７により押え板６１５ａ，６１５ｂで冊子の天地辺縁部分を押え、断裁刃、駆動モータ６２２及び断裁刃移動機構６２３により断裁刃（６１１，６１２）を移動させて冊子の天地辺縁を断裁し、また、小口辺縁断裁ユニットが、フレーム６２１に保持された押え板６１５ｃ及び断裁刃（６１３）を備えて、送られて来た冊子の小口辺縁部分を押え板６１５ｃで押えて断裁刃（６１２）で小口辺縁を断裁する構造となっており、チャック機構６１８により冊子９００ＣＢを挟持してこの冊子を天地辺縁断裁ユニット、及び小口辺縁断裁ユニットへと送り込む構造となっていて、各部が極めて複雑な構造である上、天地辺縁を同時に断裁するために重量物である地辺縁断裁ユニットを冊子サイズに応じて移動させる構造となっているので、その部品製作及び組立作業に多大な時間と労力が必要となり、製品コストが高くなる、という問題点がある。
【０００７】
また、冊子９００ＣＢをチャック機構６１８で挟持して断裁位置まで移動させる構造であるため、チャック機構６１８に挟持する際の、断裁刃（６１１〜６１３）に対する冊子９００ＣＢの挟持位置が出し難くこの挟持位置がずれて断裁不良が発生する危険性が高い、という問題点や、挟持及び移動のための機構が必要となってコスト高になる、という問題点がある。
【０００８】
更に、折目の辺部分に対する押圧手段が設けられておらず、チャック機構６１８で冊子９００ＣＢを挟持した際に波打ちが生じた場合、押え補助板６１５ｄでその波打ちを押える程度であるので、折目の辺部分の押圧が不充分でこの部分にふくらみが出来、冊子の見栄えが悪い、という問題点があり、その押え補助板６１５ｄも冊子サイズに合せて手作業で交換することになるので、煩雑な交換作業が必要である、という問題点がある。
【０００９】
更にまた、天地及び小口の三辺縁を断裁する構成となっているため、製本機の下流に既設の小口辺縁断裁機を有する場合には、小口辺縁断裁手段が二重配設となり、いずれか一方が不要になり、経費の無駄が生じる、という問題点がある。
【００１０】
本発明の目的とするところは、上記背景技術における問題点に鑑みて、その構成、構造を単純化し、かつ重量物の位置合せ移動を無くして部品製作及び組立作業に要する費用を低減し、製品コストが安くなるようにし、また、冊子を挟持することなく正確に位置決めすることができてコストの低減をはかると同時に断裁不良が発生するのを抑えることができ、更に、冊子の折目の辺部分が充分押圧されて見栄えの良い冊子に仕上げることができ、更にまた、既設の小口辺縁断裁機が有る場合にも二重配設にならず経費の無駄が発生しない冊子辺縁断裁装置を提供することにある。
【課題を解決するための手段】
【００１１】
本発明の冊子辺縁断裁装置は、製本機により中綴じ折りされた冊子の辺縁部分を断裁する冊子辺縁断裁装置であって、前記冊子の小口辺縁を断裁する小口辺縁断裁手段とは別体構造を成して前記冊子の天辺縁及び地辺縁を断裁する天地辺縁断裁機を備えて成り、この天地辺縁断裁機が次の各構成を有することを特徴とする。
（イ）冊子搬送方向の上流側から導入されてその折目の辺と平行な方向に搬送される冊子を、その搬送方向先端辺で当接、停止させ、この冊子の搬送方向先端辺縁を断裁して更に下流側へと搬送する天地辺縁先端側断裁部
（ロ）前記天地辺縁先端側断裁部の下流側に配設され、この天地辺縁先端側断裁部から搬送されて来た冊子を、その搬送方向先端辺で当接、位置決め停止させてこの冊子の搬送方向後端辺縁を断裁する天地辺縁後端側断裁部
【００１２】
また、前記天地辺縁断裁機の天地辺縁先端側断裁部が、
前記冊子を、その断裁工程に応じて搬送する搬送路と、
前記冊子を、その搬送方向先端辺で当接、停止させる先端辺ストッパと、
前記冊子を、その折目の辺を接触させてガイドする基準ガイドと、
前記冊子を、その折目の辺が前記基準ガイドに接触するように、その小口辺縁を前記基準ガイドの方向に押す可動ガイド板と、
前記先端辺ストッパにより停止状態にある冊子の折目の辺部分をその表面側から搬送路面側へと押し付ける折目押圧部材と、
この折目押圧部材でその折目の辺部分が押圧されている冊子の天地辺縁のうちの搬送方向先端側を断裁する断裁刃と、
を備えて成り、
前記天地辺縁断裁機の天地辺縁後端側断裁部が、
前記冊子を、その断裁工程に応じて搬送する搬送路と、
前記冊子を、その搬送方向先端辺で当接、停止させてその断裁部位に対し位置決めする位置決めストッパと、
この位置決めストッパにより停止状態にある冊子の折目の辺部分をその表面側から搬送路面側へと押し付ける折目押圧部材と、
この折目押圧部材でその折目の辺部分が押圧されている冊子の天地辺縁のうちの搬送方向後端側を断裁する断裁刃と、
を備えて成る前記冊子辺縁断裁装置である。
【００１３】
また、前記天地辺縁断裁機の天地辺縁先端側断裁部及び天地辺縁後端側断裁部それぞれは、その断裁刃が、搬送路面下に配置された固定断裁刃と、搬送路面上方から搬送路面下方へと移動して前記固定断裁刃と共に前記冊子の辺縁を断裁する可動断裁刃と、を含んで成り、その折目押圧部材の押圧駆動源と、前記可動断裁刃の断裁駆動源とを共用する構成である前記冊子辺縁断裁装置である。
【００１４】
また、前記冊子辺縁断裁装置における天地辺縁断裁機の冊子搬送方向上流側に、
製本機から折目の辺を搬送方向先端辺として搬送されて来た冊子を、その折目の辺で当接、位置決め停止させてその小口辺縁を断裁する小口断裁機と、
この小口断裁機から折目の辺を搬送方向先端辺として搬送されて来た冊子を、その折目の辺と平行な方向に搬送方向を変換して前記天地辺縁断裁機へと搬送する搬送方向変換機と、を配置して成る冊子辺縁断裁装置である。
【００１５】
また、前記小口断裁機が、前記冊子を、その小口断裁工程に応じて搬送する搬送路と、
前記冊子を、その折目の辺で当接、停止させてその断裁部位に対し位置決めする位置決めストッパと、この位置決めストッパにより停止状態にある冊子を、その小口辺縁に沿ってその表面側から搬送路面側へと押し付ける小口辺縁部押圧部材と、この小口辺縁部押圧部材で押圧されている冊子の小口辺縁を断裁する断裁刃と、を備えて成る前記冊子辺縁断裁装置である。
【００１６】
また、前記小口断裁機の断裁刃が、搬送路面下に配置された固定断裁刃と、搬送路面上方から搬送路面下方へと移動して前記固定断裁刃と共に前記冊子の小口辺縁を断裁する可動断裁刃と、を含んで成り、
前記小口断裁機の小口辺縁部押圧部材の押圧駆動源と、前記可動断裁刃の断裁駆動源とを共用する構造である前記冊子辺縁断裁装置である。
【発明の効果】
【００１７】
本発明の冊子辺縁断裁装置は、冊子の天辺縁及び地辺縁を断裁する天地辺縁断裁機が、小口辺縁断裁手段とは別体構造を成しており、かつその天地辺縁先端側断裁部と天地辺縁後端側断裁部とが独立して冊子の搬送される方向に配設されており、天地辺縁先端側断裁部では、折目と平行な方向に搬送される冊子を、その折目の辺及びその対向辺を揺動ガイドして先端辺ストッパで停止させ、固定位置に配備された断裁刃によりその先端辺縁を断裁して下流に搬送し、天地辺縁後端側断裁部では、搬送されて来た冊子を、その先端辺部分で位置決めストッパにより、固定位置に配備された断裁刃に対し位置決め、停止させて、この断裁刃でその後端辺縁を断裁する構成、構造となっている。
【００１８】
従って、まず、構造が単純化されて部品点数も少なくなり、かつ重量物の移動構造も無くなって組立作業が容易に短時間にできるようになって製品コストを安くすることができ、また冊子は、背景技術のように挟持されることなく、単に搬送路上を流れるように搬送されガイドされてストッパにより断裁刃に対し正確な位置で停止し、固定配備された断裁刃で断裁対象の辺縁が断裁されるので、安いコストで、正確な断裁位置で断裁されて断裁不良が発生するのを抑えることができ、更に、冊子の折目の辺部分は折目押圧部材により２回押圧されるので、その部分が充分押圧されてふくらみが発生することなく見栄えの良い冊子に仕上げることができる、という効果がある。
【００１９】
また、上記天地辺縁断裁機は、小口辺縁断裁手段とは別体構造となっていて、小口辺縁を断裁する機能を持たないので、既設の小口辺縁断裁手段が配備されている場合でも、小口辺縁に対する二重配設となることはなく、経費の無駄が発生することなく、この既設の小口辺縁断裁手段を有効活用することができる。
【００２０】
従って、既設の小口辺縁断裁機が有する場合には、この小口辺縁断裁機と、前述の天地辺縁断裁機とを組み合わせて、極めて容易に三方辺縁断裁装置を構成することができ、また、小口辺縁断裁機と天地辺縁断裁機との間に、冊子の搬送方向を変える搬送方向変換機を配設することにより、作業者の移動範囲を小さくすることができる。
【発明を実施するための最良の形態】
【００２１】
本発明を実施するための最良の形態は、製本機により中綴じ折りされた冊子の辺縁部分を断裁する冊子辺縁断裁装置であって、上記冊子の小口辺縁を断裁する小口辺縁断裁手段とは別体構造を成して上記冊子の天辺縁及び地辺縁を断裁する天地辺縁断裁機を備えて成り、この天地辺縁断裁機が、冊子搬送方向の上流側から導入されてその折目の辺と平行な方向に搬送される冊子を、その搬送方向先端辺で当接、停止させ、この冊子の搬送方向先端辺縁を断裁して更に下流側へと搬送する天地辺縁先端側断裁部と、
この天地辺縁先端側断裁部の下流側に配設され、この天地辺縁先端側断裁部から搬送されて来た冊子を、その搬送方向先端辺で当接、位置決め停止させてこの冊子の搬送方向後端辺縁を断裁する天地辺縁後端側断裁部と、を有して構成され、
上記天地辺縁断裁機の天地辺縁先端側断裁部が、
上記冊子を、その断裁工程に応じて搬送する搬送路と、
上記冊子を、その搬送方向先端辺で当接、停止させる先端辺ストッパと、
上記冊子を、その折目の辺を接触させてガイドする基準ガイドと、
上記冊子を、その折目の辺が上記基準ガイドに接触するように、その小口辺縁を上記基準ガイドの方向に押す可動ガイド板と、
上記先端辺ストッパにより停止状態にある冊子の折目の辺部分をその表面側から搬送路面側へと押し付ける折目押圧部材と、
この折目押圧部材でその折目の辺部分が押圧されている冊子の天地辺縁のうちの搬送方向先端側を断裁する断裁刃と、を備えて成り、
上記天地辺縁断裁機の天地辺縁後端側断裁部が、
上記冊子を、その断裁工程に応じて搬送する搬送路と、
上記冊子を、その搬送方向先端辺で当接、停止させてその断裁部位に対し位置決めする位置決めストッパと、
この位置決めストッパにより停止状態にある冊子の折目の辺部分をその表面側から搬送路面側へと押し付ける折目押圧部材と、
この折目押圧部材でその折目の辺部分が押圧されている冊子の天地辺縁のうちの搬送方向後端側を断裁する断裁刃と、を備えて構成される。
【実施例１】
【００２２】
次に、本発明の実施例１について説明する。図１は本発明の実施例１を説明するための冊子辺縁断裁装置の平面図、図２はその主要部の側面図である。
本発明の実施例１は、製本機で中綴じ折りされた冊子の辺縁部分を断裁する冊子辺縁断裁装置であって、図１及び図２に示すように、冊子９００ＣＢの小口辺縁を断裁する小口断裁機３００とは別体構造を成して冊子９００ＣＢの天辺縁及び地辺縁を断裁する天地辺縁断裁機１００を備えて成り、この天地辺縁断裁機１００が、冊子搬送方向の上流側から導入されてその折目の辺と平行な方向に搬送される冊子（断裁工程中）９００ＣＰを、その搬送方向先端辺で当接、停止させ、この冊子９００ＣＰの搬送方向先端辺縁を断裁し、更に下流側へと搬送する天地辺縁先端側断裁部１１０と、この天地辺縁先端側断裁部１１０の下流側に配設され、この天地辺縁先端側断裁部１１０から搬送されて来た冊子９００ＣＰを、その搬送方向先端辺で当接、位置決め停止させてこの冊子９００ＣＰの搬送方向後端辺縁を断裁する天地辺縁後端断裁部１３０と、これら断裁部（１１０，１３０）の間に配設されて、これら断裁部による断裁動作の相互干渉を無くし、かつ冊子９００ＣＰを天地辺縁先端側断裁部１１０から天地辺縁後端側断裁部１３０へと搬送する中間搬送部１２０と、を有して成り、これら各部の詳細は次のとおりである。
【００２３】
天地辺縁先端側断裁部１１０は、冊子９００ＣＰを、その断裁工程に応じて搬送する、搬送ベルト１１１を含む搬送路１１２と、この搬送路１１２で搬送される冊子９００ＣＰを、その搬送方向先端辺で当接、停止させる先端辺ストッパ１１４と、搬送され、かつ停止している冊子９００ＣＰの折目の辺を接触させてガイドする基準ガイド１１３と、搬送され、かつ停止している冊子９００ＣＰの折目の辺が基準ガイド１１３に接触するように、冊子９００ＣＰの小口辺縁を基準ガイド１１３の方向に押す可動ガイド板１１５と、先端辺ストッパ１１４により停止状態にある冊子９００ＣＰの折目の辺部分をその表面側から搬送路面側へと押し付ける折目押圧部材１１６と、先端辺ストッパ１１４の上流側に一定の間隔を隔てて搬送路面下に固定配備された固定断裁刃１１７と、この固定断裁刃１１７と先端辺ストッパ１１４との間に、搬送路面上方から搬送路面下方へと移動可能なように配備されて、その移動により固定断裁刃１１７と共に冊子９００ＣＰの搬送方向先端側の辺縁を断裁する可動断裁刃１１８と、を備えて成り、冊子９００ＣＰの搬送方向先端側の辺縁に対する断裁が終了した後は、先端辺ストッパ１１４は搬送路面下方に退避し、可動断裁刃１１８は搬送路面上方に移動して停止し、折目押圧部材１１６は冊子９００ＣＰの表面から離れその押圧を止めて、冊子９００ＣＰが下流側へと搬送されるようにする、構成、構造となっている。
【００２４】
天地辺縁後端側断裁部１３０は、冊子９００ＣＰを、その断裁工程に応じて搬送する、搬送ベルト１３１を含む搬送路１３２と、この搬送路１３２で搬送される冊子９００ＣＰが搬送路１３２からはみ出さないように、その折目の辺をガイドする折目ガイド１３３と、搬送されて来た冊子９００ＣＰを、その搬送方向先端辺で当接、停止させてその断裁部位である搬送方向後端側の辺縁に対し位置決めする位置決めストッパ１３４と、この位置決めストッパ１３４により停止状態にある冊子９００ＣＰの折目の辺部分を、その表面側から搬送路面側へと押し付ける折目押圧部材１３５と、冊子９００ＣＰの断裁部位である搬送方向後端側辺縁部位の、搬送路面下に固定配備された固定断裁刃１３６と、この固定断裁刃１３６に沿って、搬送路面上方から搬送路面下方へと移動可能なように配備されて、その移動により、固定断裁刃１３６と共に冊子９００ＣＰの搬送方向後端側の辺縁を断裁する可動断裁刃１３７と、を備えて成り、冊子９００ＣＰの搬送方向後端側の辺縁に対する断裁が終了した後、位置決めストッパ１３４は搬送路面下方に退避し、可動断裁刃１３７は搬送路面上方に移動して停止し、折目押圧部材１３５は冊子表面から離れその押圧を止めて、断裁済みの冊子９００ＣＡが下流側のスタッカ５００へと搬送されるようにする、構成、構造となっている。
【００２５】
中間搬送部１２０は、搬送ベルト１２１を含む搬送路１２２を備えて構成される。なお、これらにおける各部動作の制御手段は、図１及び図２では図示省略されている。
この実施例１において、天地辺縁断裁機１００は、その天地辺縁先端側断裁部１１０と天地辺縁後端側断裁部１３０とが冊子搬送方向の上流側と下流側とに互いに独立して配備され、冊子９００ＣＰは搬送路上を搬送ベルトにより単に搬送されるだけで背景技術のようなチャック機構はなく、また、重量物である断裁刃の、冊子サイズに伴う位置合わせ移動もなく、単に、一方向に搬送される冊子をストッパで停止させてその断裁対象の辺縁を断裁刃で断裁する、という単純な動作のくり返しで冊子の天地辺縁を断裁する、構成、構造であるので、重量物の移動構造が無く、かつ各部構造が単純化され部品点数も少なくなって、部品製作、組立作業が容易に、かつ短時間にできるようになり、製品コストを安くすることができる。
【００２６】
また、天地辺縁先端側断裁部１１０において、搬送される冊子を、その折目の辺を基準ガイド１１３に押し付けガイドし、先端辺ストッパ１１４で停止させてその折目の辺部分を押圧し、その先端辺縁を断裁するようになっており、天地辺縁後端側断裁部１３０において、搬送されて来た冊子を、その断裁済みの先端辺で位置決めストッパ１３４により断裁対象の後端辺縁に対し位置決めして停止させ、その折目の辺部分を押圧してその後端辺縁を断裁するようになっているので、断裁部位が正確に位置決めされ、かつその位置ずれもなく、断裁不良が発生するのを防ぐことができる。また、冊子の折目の辺部分は、折目押圧部材１１６，１３５によって、二度にわたって押圧されるので、この折目の辺部分にふくらみが発生することなく、見栄えの良い冊子に仕上げることができる。
【００２７】
更に、この実施例１においては、天地辺縁断裁機１００が、小口辺縁断裁手段（図１における小口断裁機３００）とは別体構造となっていて小口辺縁の断裁機能は持っていないので、製本機２００の冊子排出部に続いて小口断裁機３００が既設されているような場合でも、小口辺縁断裁手段の二重配備はなく、既設の小口断裁機３００を有効活用することができる。
【００２８】
この実施例１においては、冊子９００ＣＰの折目の辺部分が折目押圧部材１１６，１３５によって押圧された後、断裁刃（１１７，１１８，１３６，１３７）でその断裁対象辺縁が断裁されるので、例えば、天地辺縁後端側断裁部１３０の可動断裁刃１３７と折目押圧部材１３５とを、図３に示すように、１つの駆動モータ１４１で連結、駆動するようにすることができる。
【００２９】
図３において、駆動モータ１４１の回転力をチェーン１４２により、偏心カム部１４３を介して押圧部材移動機構１４４に伝達して折目押圧部材１３５を移動させ、また、断裁刃移動機構１４５に伝達して可動断裁刃１３７を移動させる。このような構成、構造とすることにより、折目押圧部材１３５と可動断裁刃１３７とを１つの駆動モータ１４１で移動させることができ、その部品点数を更に低減することができる。なお、天地辺縁先端側断裁部１１０に対しても同様の構造とすることができる。
【実施例２】
【００３０】
図４は本発明の実施例２を説明するための平面図であり、この実施例２は、前述の実施例１における天地辺縁断裁機１００と、その冊子搬送方向上流側に配設された小口断裁機３００及び搬送方向変換機４００と、を有して構成される冊子辺縁断裁装置である。
この実施例２における冊子辺縁断裁装置は、実施例１に示された天地辺縁断裁機１００のほかに、この天地辺縁断裁機１００の冊子搬送方向上流側に配設されて、製本機２００から折目の辺を搬送方向先端辺として搬送されて来た冊子（断裁前）９００ＣＢを、その折目の辺で当接、位置決め停止させてその小口辺縁を断裁する小口断裁機３００と、この小口断裁機３００から折目の辺を搬送方向先端辺として搬送されて来た冊子（断裁工程中）９００ＣＰを、その折目の辺と平行な方向に搬送方向を変換して天地辺縁断裁機１００へと搬送する搬送方向変換機４００と、を有して構成され、小口断裁機３００及び搬送方向変換機４００の詳細は次のとおりである。
【００３１】
小口断裁機３００は、冊子９００ＣＢをその小口断裁工程に応じて搬送する、搬送ベルト３１１を含む搬送路３１０と、冊子９００ＣＢを、その折目の辺で当接、停止させてその断裁部位に対し位置決めする位置決めストッパ３２０と、この位置決めストッパ３２０により停止状態にある冊子９００ＣＢを、その小口辺縁に沿ってその表面側から搬送路面側へと押し付ける小口辺縁部押圧部材３３０と、停止状態にある冊子９００ＣＢの小口辺縁部位の、搬送路面下に固定配置された固定断裁刃３４０と、この固定断裁刃３４０に沿って、搬送路面上方から搬送路面下方へと移動可能なように配備されて、その移動により、固定断裁刃３４０と共に冊子９００ＣＢの小口辺縁を断裁する可動断裁刃３５０と、を備えて成り、小口辺縁の断裁が終了した後、小口辺縁部押圧部材３３０は冊子の表面から離れてその上方に停止し、位置決めストッパ３２０も搬送路面上方に退避して、冊子（断裁工程中）９００ＣＰが下流側へと搬送されるようになっている。
【００３２】
また、搬送方向変換機４００は、小口断裁機３００から搬送されて来た冊子９００ＣＰを、その延長方向に搬送する、搬送ベルト４１１を含む第１搬送路４１０と、その搬送ベルト４１１とは直交するように配置されて、この第１搬送路４１０から搬送されて来た冊子９００ＣＰを基準ストッパ４３０に当接するまでそのまま移動させる円筒形コロ４２１（図では５本）と、円筒形コロ４２１の間にあって、冊子９００ＣＰを左方へ押して移動させることにより方向変換を行うプッシャ４２２（図では４個）を含む第２搬送路４２０と、これら第１搬送路４１０及び第２搬送路４２０で搬送される冊子９００ＣＰが、搬送方向変換時等に搬送路からはみ出すことなく確実に、その折目の辺と平行な方向に下流側、即ち天地辺縁断裁機へと搬送されるように、折目の辺を当接、ガイドする基準ストッパ４３０と、を備えた構成、構造となっている。
【００３３】
この実施例２における冊子辺縁断裁装置は、製本機２００で中綴じ折りされた冊子９００ＣＢに対し、その小口辺縁及び天地辺縁の三方を断裁する装置であって、その各辺縁の断裁手段において、実施例１と同様に、その構成、構造が単純化され、かつ重量物の位置合わせを無くして部品製作及び組立作業を含めその製品コストを低減することができ、又、それぞれの断裁対象の辺縁を正確に位置決めして断裁することができて、断裁不良が発生するのを防止することができる。
【００３４】
また、搬送方向変換機４００が配備されていることで、小口断裁機３００と天地辺縁断裁機１００との配置距離を短く、かつ作業者による断裁操作の範囲を狭くすることができて、作業者の負担を軽減することができる。
なお、可動断裁刃３５０及び小口辺縁部押圧部材３３０の駆動源を、実施例１と同様の手段により共用させることができる。
【図面の簡単な説明】
【００３５】
【図１】本発明の実施例１を説明するための冊子辺縁断裁装置の平面図である。
【図２】図１に示された冊子辺縁断裁装置の主要部分の側面図である。
【図３】図１及び図２に示された冊子辺縁断裁装置の可動断裁刃及び折目押圧部材を１つの駆動モータで連結、駆動する構造を説明するための側面図である。
【図４】本発明の実施例２を説明するための冊子辺縁断裁装置の平面図である。
【図５】背景技術における冊子辺縁断裁装置の一例を示す斜視図及びその冊子辺縁の断裁手順を示す斜視図である。
【図６】図５に示された冊子辺縁断裁装置におけるチャック機構により冊子を把持したときの押え補助板が無い場合と有る場合の状態を示す側面図である。
【符号の説明】
【００３６】
１００  天地辺縁断裁機
１１０  天地辺縁先端側断裁部
１１１  搬送ベルト
１１２  搬送路
１１３  基準ガイド
１１４  先端辺ストッパ
１１５  可動ガイド板
１１６  折目押圧部材
１１７  固定断裁刃
１１８  可動断裁刃
１２０  中間搬送部
１２１  搬送ベルト
１２２  搬送路
１３０  天地辺縁後端側断裁部
１３１  搬送ベルト
１３２  搬送路
１３３  折目ガイド
１３４  位置決めストッパ
１３５  折目押圧部材
１３６  固定断裁刃
１３７  可動断裁刃
１４１  駆動モータ
１４２  チェーン
１４３  偏心カム部
１４４  押圧部材移動機構
１４５  断裁刃移動機構
２００  製本機
３００  小口断裁機
３１０  搬送路
３１１  搬送ベルト
３２０  位置決めストッパ
３３０  小口辺縁部押圧部材
３４０  固定断裁刃
３５０  可動断裁刃
４００  搬送方向変換機
４１０  第１搬送路
４１１  搬送ベルト
４２０  第２搬送路
４２１  円筒形コロ
４２２  プッシャ
４３０  基準ストッパ
５００  スタッカ
６００  三方断裁機
６１１  天辺縁断裁刃
６１２  地辺縁断裁刃
６１３  小口辺縁断裁刃
６１４ａ，６１４ｂ  断裁用底板
６１５ａ〜６１５ｃ  押え板
６１５ｄ  押え補助板
６１６  天用断裁定木
６１７  地用断裁定木
６１８  チャック機構
６１９〜６２１  フレーム
６２２  断裁刃駆動モータ
６２３  断裁刃移動機構
６２６  押え板駆動モータ
６２７  押え板移動押圧機構
６２８  フレーム駆動モータ
６２９  フレーム移動機構
９００ＣＡ  冊子（断裁済）
９００ＣＢ  冊子（断裁前）
９００ＣＰ  冊子（断裁工程中）
【図１】
2005153075.tif 000003
【図２】
2005153075.tif 000004
【図３】
2005153075.tif 000005
【図４】
2005153075.tif 000006
【図５】
2005153075.tif 000007
【図６】
2005153075.tif 000008